(57)【要約】【課題】消費者が決定した条件に適合した商品情報が掲載されたカタログ冊子を製造できるカタログ冊子印刷システムを提供する。【解決手段】カタログ冊子印刷システム１には，消費者から商品情報の検索条件を取得し，該検索条件を用いた検索結果を消費者に表示した後，消費者からカタログ冊子２の印刷指示を受け付けるユーザインターフェース装置１０と，複数の企業の通信販売で取り扱われる商品の商品情報が記憶された商品情報データベース１２と，消費者が設定した検索条件に適合する商品情報を商品情報データベース１２から検索する商品情報検索装置１１と，消費者から印刷指示を受けると，検索結果に含まれる商品情報が掲載されたカタログ冊子２をオンデマンド印刷するオンデマンド印刷手段として機能するオンデマンド印刷装置１３が少なくとも含まれる。【選択図】図１
2012043088.tif 000002
【特許請求の範囲】
【請求項１】
消費者が操作するパーソナルコンピュータから商品情報の検索条件を取得する検索条件取得手段と，複数の企業の通信販売で取り扱われる商品の商品情報が記憶された商品情報データベースと，前記検索条件取得手段が取得した検索条件に適合する商品情報を前記商品情報データベースから検索する商品情報検索手段と，前記商品情報検索手段の検索結果を前記パーソナルコンピュータに表示し，前記パーソナルコンピュータからカタログ冊子の印刷指示を受け付ける検索結果表示手段と，前記検索結果表示手段がカタログ冊子の印刷指示を受けると，前記商品情報検索手段の検索結果に含まれる商品情報を所定のレイアウトファイルに差し込み，該商品情報が掲載されたカタログ冊子をオンデマンド印刷するオンデマンド印刷手段を備えたことを特徴とするカタログ冊子印刷システム。
【請求項２】
予め設定された通信販売サイトに定期的にアクセスし，前記通信販売サイトで公開されている商品情報を用いて，前記商品情報データベースの内容を更新するデータベース管理手段が備えられていることを特徴とする，請求項１に記載のカタログ冊子印刷システム。
【請求項３】
前記商品情報検索手段は，検索結果に含まれる商品情報に同一の商品が複数含まれていないか確認し、同一の商品が複数含まれている場合，販売価格が最も安い商品情報のみを検索結果に含ませることを特徴とする，請求項１又は請求項２に記載のカタログ冊子印刷システム。
【発明の詳細な説明】
【技術分野】
【０００１】
本発明は，通信販売用のカタログ冊子を製造するシステムに係わり、特に、消費者の嗜好に適合したカタログ冊子をオンデマンドで製造できるシステムに関する。
【背景技術】
【０００２】
定期的に消費者に郵送されるカタログ冊子やインターネット上の電子カタログなどを利用した通信販売は，物やサービスなどの商品を販売する企業にとって重要な販売形態である。
【０００３】
現在では，紙媒体のカタログ冊子を用いた通信販売ではなく，インターネットを利用した通信販売が主流になっているが，インターネットを利用した通信販売では，企業の最新情報が多数掲載されていることもあり，消費者が，膨大な情報の中から自分の嗜好に合った商品を検索するのは大変な作業であるし，又，自分の嗜好にあった商品を探すのにパーソナルコンピュータが必須であることもあり，カタログ冊子の方が便利であると感じる消費者も少なくない
【０００４】
しかし，通信販売用のカタログ冊子を利用する消費者からしてみると、通信販売会社が発行するカタログ冊子には興味のない情報が掲載されているため，カタログ冊子に無駄を感じることも多く，インターネットを利用した通信販売のサイトに備えられた検索機能のように，消費者が興味のある情報のみをまとめたカタログ冊子が消費者に望まれている。
【０００５】
消費者の嗜好に合わせた通信販売用のカタログ冊子を製造する発明としては，例えば，特許文献１において，各商品についてのカタログ冊子に掲載すべき商品情報を収録した商品情報ファイルと、各顧客についての特定の属性に関する個人情報を収録した顧客情報ファイルと、個人情報の個々の属性に合致する条件を各商品について設定した商品条件ファイルを備え，顧客情報ファイルの個人情報と商品条件ファイル内の条件とを比較し、個々の顧客について条件が合致する商品情報だけが印刷されたカタログ冊子を製造するシステムが開示されている。
【０００６】
しかしながら，インターネットを利用した通信販売では，インターネットを利用した通信販売を利用するときのニーズに適合した商品を消費者は検索するができるが，特許文献１で開示されている発明では，消費者の嗜好に適合する商品情報を抽出する条件は，カタログ冊子を製造するシステム側に記憶されており，消費者は，消費者に郵送されるカタログ冊子に掲載する商品情報の条件を決定することはできなかった。
【０００７】
また，特許文献１で開示されている発明に記載されている商品情報ファイルは企業毎にまとめられていることが多く，インターネットを利用したショッピングモールのように，複数の企業の通信販売で取り扱われる商品情報の中から，消費者の嗜好に適合する商品情報を抽出して，消費者のニーズに適合したカタログ冊子を製造できることが望ましい。
【先行技術文献】
【特許文献】
【０００８】
【特許文献１】特開平７−２００７０１号公報
【発明の概要】
【発明が解決しようとする課題】
【０００９】
そこで，本発明は，消費者が，消費者に郵送されるカタログ冊子に掲載する商品情報の条件を決定でき，一つの企業のみならず，複数の企業の通信販売で取り扱われる商品の商品情報の中から，消費者が決定した条件に適合する商品情報が掲載されたカタログ冊子を製造できるシステムを提供することを目的とする。
【課題を解決するための手段】
【００１０】
上述した課題を解決する本発明に係るカタログ冊子印刷システムには，カタログ冊子を製造するときに，消費者が商品情報の検索条件を設定することのできるように，消費者が操作するパーソナルコンピュータから商品情報の検索条件を取得する検索条件取得手段が備えられ，更に，消費者が設定した検索条件に適合する商品情報を検索・表示できるように，複数の企業の通信販売で取り扱われる商品の商品情報が記憶された商品情報データベースと，検索条件取得手段が取得した検索条件に適合する商品情報を商品情報データベースから検索する商品情報検索手段と，商品情報検索手段の検索結果をパーソナルコンピュータに表示し，検索結果表示手段がカタログ冊子の印刷指示を受け付ける検索結果表示手段が備えられ，消費者が設定した検索条件に適合する商品情報が掲載されたカタログ冊子を製造できるように，パーソナルコンピュータからカタログ冊子の印刷指示を受けると，商品情報検索手段の検索結果に含まれる商品情報を所定のレイアウトファイルに差し込み，該商品情報が掲載されたカタログ冊子をオンデマンド印刷するオンデマンド印刷手段が備えられる。
【００１１】
なお，本発明に係るカタログ冊子印刷システムには，商品情報データベースの内容を最新の情報に保てるように，予め設定された通信販売サイトに定期的にアクセスし，通信販売サイトで公開されている商品情報を用いて，商品情報データベースの内容を更新するデータベース管理手段が備えられていることが望ましい。
【００１２】
また，複数の企業で同一の商品を取り扱っている場合，検索結果に同一の商品が複数含まれることになるので、本発明に係るカタログ冊子印刷システムの商品情報検索手段は，検索結果に含まれる商品情報に同一の商品が複数含まれていないか確認し、同一の商品が複数含まれている場合，販売価格が最も安い商品情報のみを検索結果に含ませるようにするとよい。
【発明の効果】
【００１３】
上述した本発明によれば，複数の企業の通信販売で取り扱われる商品の中から，カタログ冊子を製造するときに消費者が設定した検索条件に適合する商品情報が掲載されたカタログ冊子を，消費者毎に製造できるカタログ冊子印刷システムを提供できる。
【図面の簡単な説明】
【００１４】
【図１】本実施形態に係るカタログ冊子印刷システムを説明する図。
【図２】カタログ冊子を印刷する手順を示したフロー図。
【発明を実施するための形態】
【００１５】
ここから，発明の実施形態について，本願発明の技術分野に係わる当業者が，発明の内容を理解し，本願発明を実施できる程度に説明する。
【００１６】
図１は，本実施形態に係るカタログ冊子印刷システム１を説明する図である。本実施形態に係るカタログ冊子印刷システム１には，消費者が操作するパーソナルコンピュータ４から商品情報の検索条件を取得する検索条件取得手段及び該検索条件を用いた検索結果をパーソナルコンピュータ４に表示し，パーソナルコンピュータ４からカタログ冊子２の印刷指示を受け付ける検索結果表示手段として機能するユーザインターフェース装置１０と，複数の企業の通信販売で取り扱われる商品の商品情報が記憶された商品情報データベース１２と，ユーザインターフェース装置１０が消費者から取得した検索条件に適合する商品情報を商品情報データベース１２から検索する商品情報検索手段として機能する商品情報検索装置１１と，ユーザインターフェース装置１０が印刷指示を受けると，商品情報検索装置１１が検索した商品情報を所定のレイアウトファイルに差し込み，該商品情報が掲載されたカタログ冊子２をオンデマンド印刷するオンデマンド印刷手段として機能するオンデマンド印刷装置１３と，予め設定された通信販売サイト３に定期的にアクセスし，通信販売サイト３で公開されている商品情報を用いて，商品情報データベース１２の内容を更新するデータベース管理手段として機能するデータベース管理装置１４が少なくとも含まれ，図１において，カタログ冊子印刷システム１と，通信販売を行っている企業が運営している通信販売サイト３と，カタログ冊子２の郵送を希望する消費者が操作するパーソナルコンピュータ４がインターネット５に接続されている。
【００１７】
本実施形態に係るカタログ冊子印刷システム１において，ユーザインターフェース装置１０は，カタログ冊子２を製造するときに，消費者が商品情報の検索条件を設定でき，更に，商品条件の検索結果を閲覧した後にカタログ冊子２の印刷指示を行えるように設けられ，更に，商品情報データベース１２及び商品情報検索装置１１は，消費者が設定した検索条件に適合する商品情報を検索するために設けられ，更に，オンデマンド印刷装置１３は，消費者が設定した検索条件に適合する商品情報が掲載されたカタログ冊子２を製造するために設けられ，更に，データベース管理装置１４は，商品情報データベース１２の内容を最新の情報に保てるように設けられている。
【００１８】
ここから，本実施形態に係るカタログ冊子印刷システム１に含まれる各装置について説明する。
【００１９】
カタログ冊子２に掲載する商品情報の情報源となる商品情報データベース１２はデータベースサーバを利用して実現される装置で，商品情報データベース１２には，通信販売サイト３毎に，通信販売サイト３から収集した商品情報が商品情報の管理番号に関連付けて記憶され，この商品情報には，商品情報で特定される商品の説明文や写真に加え，商品情報を掲載していた企業の企業コード，商品の型番，商品のメーカ，商品の販売価格，商品が属するカテゴリーなど，商品情報を検索するときに利用可能な情報が含まれる。
【００２０】
消費者が設定した検索条件に適合する商品情報を商品情報データベース１２から検索する商品情報検索装置１１は，一般的な検索サイトのように，Ｗｅｂアプリケーションサーバを利用して実現される装置で，ユーザインターフェース装置１０から検索条件を受信すると，該検索条件に適合する商品情報を商品情報データベース１２から検索し，商品情報の検索結果（例えば，商品情報の管理番号のリスト）をユーザインターフェース装置１０へ送信する。
【００２１】
商品情報を検索する手法は汎用的な技術を利用することができ，例えば，検索キーワードが検索条件として設定された場合，検索キーワードを含む商品情報が検索される。
【００２２】
なお，複数の企業で同一の商品を取り扱っている場合，検索結果に同一の商品，すなわち，型番が同一である商品情報が複数含まれることになるので、このような場合は，商品情報の販売価格を参照し，販売価格の最安値の商品情報を検索結果に含ませるようにするとよい。
【００２３】
商品情報検索装置１１を利用して消費者が検索した商品情報が掲載されたカタログ冊子２をオンデマンド印刷するオンデマンド印刷装置１３はバリアブル印刷機を利用して実現される装置で，オンデマンド印刷装置１３には，消費者が検索した商品情報が掲載されたカタログ冊子２を印刷するときに利用する可変レイアウトファイルが記憶されている。
【００２４】
オンデマンド印刷装置１３が記憶している可変レイアウトファイルには，消費者が検索した商品情報を差し込むための可変レイアウト枠が含まれており，ユーザインターフェース装置１０からオンデマンド印刷の実行指示を受けると，ユーザインターフェース装置１０が指定した検索結果に含まれる商品情報を商品情報データベース１２から取得し，取得した商品情報を可変レイアウト枠に差し込んでバリアブル印刷することで，消費者が設定した検索条件に適合する商品情報が掲載されたカタログ冊子２が印刷される。
【００２５】
消費者からカタログ冊子２の郵送要求を受け付ける処理を担うユーザインターフェース装置１０は，ウェブサーバで実現される装置，消費者からカタログ冊子２の郵送要求を受け付ける処理で利用する複数のウェブページを有し，消費者が操作するパーソナルコンピュータ４から商品情報の検索条件を取得する検索条件取得手段，及び，該検索条件を用いた検索結果をパーソナルコンピュータ４に表示し，パーソナルコンピュータ４からカタログ冊子２の印刷指示を受け付ける検索結果表示手段は，ユーザインターフェース装置１０が有するウェブページで実現される。
【００２６】
ここから，ユーザインターフェース装置１０の動作を説明しながら，消費者が設定した検索条件に適合する商品情報が掲載されたカタログ冊子２を印刷する手順について説明する。
【００２７】
図２は，オンデマンド印刷システム１においてカタログ冊子２を印刷する手順を示したフロー図である。
【００２８】
消費者がパーソナルコンピュータ４を操作してユーザインターフェース装置１０にアクセスすると，ユーザインターフェース装置１０は，消費者が検索条件を設定するためのウェブページをパーソナルコンピュータ４へ送信した後，消費者が設定した検索条件をパーソナルコンピュータ４から取得する（Ｓ１）。
【００２９】
消費者が設定する検索条件は，好ましくは商品に係わる検索キーワードで，消費者が検索キーワードを設定するウェブページには，検索キーワードをテキスト入力するためのフォームが設けられ，該フォームに入力されたテキストが検索キーワードとしてユーザインターフェース装置１０に送信される。
【００３０】
ユーザインターフェース装置１０は，消費者が設定した検索条件を取得すると，消費者が設定した検索条件を商品情報検索装置１１へ引き渡し，消費者が設定した検索条件に適合する商品情報の検索を商品情報検索装置１１へ要求し，商品情報検索装置１１は該検索条件を用いた商品情報の検索を行う（Ｓ２）。
【００３１】
そして，消費者が設定した検索条件に適合する商品情報の検索結果を商品情報検索装置１１は行うと，商品情報検索装置１１は商品情報の検索結果をユーザインターフェース装置１０へ引き渡し，ユーザインターフェース装置１０は，該商品情報の検索結果を表示するウェブページを動的に生成し，該ウェブページをパーソナルコンピュータ４へ送信し，消費者に対して商品情報の検索結果が表示される（Ｓ３）。
【００３２】
商品情報の検索結果を表示するウェブページに含まれるボタンオブジェクトなどが利用されて，パーソナルコンピュータ４からカタログ冊子２の郵送要求を受けると，ユーザインターフェース装置１０は，消費者の氏名や住所など，カタログ冊子２の宛先情報を消費者から取得するためのウェブページをパーソナルコンピュータ４へ送信し，パーソナルコンピュータ４からカタログ冊子２の宛先情報を取得する（Ｓ４）。
【００３３】
パーソナルコンピュータ４から宛先情報を取得すると，ユーザインターフェース装置１０は，受付番号を生成し，受付番号に関連付けて宛先情報を記憶すると共に，消費者に対して提示した商品情報の検索結果と受付番号を指定して，カタログ冊子２のバリアブル印刷をオンデマンド印刷装置１３へ指示する（Ｓ５）。
【００３４】
オンデマンド印刷装置１３は，ユーザインターフェース装置１０からオンデマンド印刷の実行指示を受けると，ユーザインターフェース装置１０が指定した検索結果に含まれる商品情報を商品情報データベース１２から取得し，可変レイアウトファイルの可変レイアウト枠に該商品情報を差し込んでバリアブル印刷行い，ユーザインターフェース装置１０から指定された受付番号に対応するカタログ冊子２を印刷し（Ｓ６），この手順を終了する。
【００３５】
最後に，図１で図示したカタログ冊子印刷システム１の各通信販売サイト３を定期的にクローリングし，商品情報データベース１２の内容を更新する処理を担うデータベース管理装置１４について説明する。
【００３６】
データベース管理装置１４は，商品情報データベース１２に記憶されている商品情報を最新の情報に更新するためにカタログ冊子印刷システム１に設けられる。データベース管理装置１４には，予め，商品情報を取得する通信販売サイト３のＵＲI（Uniform Resource Identifier）が記憶され，定期的に，このＵＲIにアクセスすることで，通信販売サイト３で提供されている商品情報を取得する。
【００３７】
データベース管理装置１４は，通信販売サイト３で提供されている商品情報を取得すると，該商品情報の企業コード及び型番が少なくとも一致する商品情報を商品情報データベース１２から検索し，通信販売サイト３で提供されている商品情報と検索した商品情報の内容が一致しない場合，又は，検索できなかった場合，商品情報データベース１２に記憶されている商品情報を通信販売サイト３で提供されている商品情報に更新又は追加する。
【符号の説明】
【００３８】
１    カタログ冊子印刷システム
１０  ユーザインターフェース装置
１１  商品情報検索装置
１２  商品情報データベース
１３  オンデマンド印刷装置
１４  データベース管理装置
２    カタログ冊子
３    通信販売サイト
４    パーソナルコンピュータ
５    インターネット
【図１】
2012043088.tif 000003
【図２】
2012043088.tif 000004